(57)【要約】【課題】汚水の飛散を確実に防止できて、便座のずれを極力少なくできる洋風便器を提供する。【解決手段】便器本体１と便座３とを備えており、便器本体１の上端部にリム６が設けられている洋風便器において、床面と略水平方向におけるリム６の幅が、床面と略水平方向における便座３の幅に対して半分以下であるものであって、便座３の便器本体１側には脚５が設けられており、脚５は便座３の便器本体１側に対して下向きに凹形状となっており、脚５は便座３前面部に亘って連続しており、便座３を倒伏した時に脚５がリム６と係合されることを特徴とする洋風便器。【選択図】  図１
2005273227.tif 000002
【特許請求の範囲】
【請求項１】
便器本体と便座とを備えており、
便器本体の上端部にリムが設けられている洋風便器において、
床面と略水平方向における前記リムの幅が、床面と略水平方向における前記便座の幅に対して半分以下であるものであって、
前記便座の前記便器本体側には脚が設けられており、前記脚は前記便座の便器本体側に対して下向きに凹形状となっており、前記脚は前記便座前面部に亘って連続しており、
前記便座を倒伏した時に前記脚が前記リムと係合されることを特徴とする洋風便器。
【請求項２】
前記便座の前面部における前記便器本体側に、前記便座の外縁側から前記便器の内部側に向けてへこみ部が設けられており、
前記脚が前記へこみ部に設けられていて、前記便器本体の前面部における内壁面上端部が前記脚によって覆われていることを特徴とする請求項１記載の洋風便器。
【発明の詳細な説明】
【技術分野】
【０００１】
本発明は便器本体と便座を有する洋風便器に関するものである。
【背景技術】
【０００２】
図４は従来の洋風便器の便器本体の上端部を示した断面図である。
【０００３】
便座の便器本体側に複数個の脚を設けて、該脚は便座を倒伏させた時に便器本体のリム上面に接地するものであって、脚における便座上面との接触面が平面であるものが知られている。
【０００４】
すなわち、便座１１の便器本体１３側には脚１２が複数個設けられていて、便座１１を倒伏させた時に便器本体１３に設けられているリム１４の上面に接地される。便座１１とリム１４上面との間には脚１２が介在されているため隙間が開いている。また、脚１２は便座１１の便器本体１３側に複数個断続的に設けられているため、便座１１を倒伏させた時に、便座１１とリム１４上面との間における脚が設けられていない場所には空間ができているものである（例えば、特許文献１参照。）。
【特許文献１】特開２００３−２１０３５６号公報
【発明の開示】
【発明が解決しようとする課題】
【０００５】
しかし、特許文献１には以下のような問題点がある。
【０００６】
すなわち、便座１１を倒伏させて使用者が着座姿勢で用を足す時、汚水が飛散する場合があるが、便座１１における便器本体１３側の面の脚１２が設けられていない空間から飛散した汚水が浸入して、リム１４上面を汚したり、便器外の床面にまで達したりする時がある。例え便座１１とリム１４上面との空間を少なくしたとしても、飛散した汚水が隙間から浸入する事態が完全になくなるとは言えない。また、例えば男子が着座姿勢で小便をした時に、小便が誤ってリム１４付近にかかってしまうことがある。その場合、便座１１とリム１４上面との間は脚１２がリム１４に接地しているだけであるので、便座１１とリム１４との間に隙間があり、リム１４上面に小便が達した場合は該隙間を伝ってリム１４上面から便器外に流出してしまうことがある。
【０００７】
また、便座１１における便器本体１３側に設けられた脚１２が便器本体１３のリム１４上面に乗っかっている状態であるので、使用者が座り直したり、繰り返し何度も着座している内に、便座１１が床面方向と略平行方向にずれを起こしてしまう可能性がある。
【０００８】
本発明は上記問題点に鑑みてなしたもので、その目的は、汚水の飛散を確実に防止できて、便座のずれを極力少なくできる洋風便器を提供することにある。
【課題を解決するための手段】
【０００９】
請求項１に係る発明の洋風便器は、便器本体と便座とを備えており、便器本体の上端部にリムが設けられている洋風便器において、床面と略水平方向における前記リムの幅が、床面と略水平方向における前記便座の幅に対して半分以下であるものであって、前記便座の前記便器本体側には脚が設けられており、前記脚は前記便座の便器本体側に対して下向きに凹形状となっており、前記脚は前記便座前面部に亘って連続しており、前記便座を倒伏した時に前記脚が前記リムと係合されることを特徴とする。
【００１０】
請求項２に係る発明の洋風便器は、請求項１の洋風便器において、前記便座の前面部における前記便器本体側に、前記便座の外縁側から前記便器の内部側に向けてへこみ部が設けられており、前記脚が前記へこみ部に設けられていて、前記便器本体の前面部における内壁面上端部が前記脚によって覆われていることを特徴とする。
【発明の効果】
【００１１】
請求項１に係る発明の洋風便器によれば、リム上部に凹形状の脚が係合されることで、これまで便座とリム上面との間に生じていた隙間をなくすることができて、汚水の飛散を確実に防止できる。また、便座のずれを極力少なくできる。
【００１２】
さらに、床面と略水平方向におけるリムの幅が、床面と略水平方向における便座の幅に対して半分以下である厚さであることにより、リムの幅が便座の幅に対して半分以上の厚さすなわち、比較的幅の大きなリムの場合に、リム上面の幅に合わせて便座の脚を係合する時よりも、脚の設置面積が少なくて済んで、脚が係合されやすくなる。さらに、見た目がすっきりとする。
【００１３】
請求項２に係る発明の洋風便器によれば、へこみ部に脚が設けられていることにより、便座における便器本体側の面からの脚の突出高さが低くなる。便座を上げた時に便座における便器本体側の面の見た目がすっきりとする。また、便座を倒伏した時に、床面に対して略垂直方向における便座とリム上面との隙間がより少なくなって見栄えがよくなる。
【発明を実施するための最良の形態】
【００１４】
以下、本発明の実施形態を図１〜図３に基づいて説明する。ここで、前とは洋風便器使用者側にあたる方向を言い、後とは水洗タンクが備えられている方向を言う。また、便座における前部とは便座を便器本体に倒伏した時の前面部のことを言う。さらに、便座裏面とは便座における便器本体側の面のことを言う。また、本発明における凹形状とは鉤型のようなものも含む。
【００１５】
図１は本発明の洋風便器の斜視図である。便所の床面に便器本体１が設けられていて、便器本体１の上面後方には便器本体１内を洗浄するための水が貯留されている水洗タンク２が設けられている。また、水洗タンク２の前面側であり、便器本体１の上面にあたる場所には便座３が備えられていて、便座３を倒伏させた時に上部から便座３を覆い隠す蓋４が設けられている。さらに便器本体１の開口部縁にはリム６が設けられている。
【００１６】
便座３には脚５が突出して設けられている。便座３には着座部が設けられ、便座３は排泄空間が開いているドーナツ状の形状を有している。脚５は便座３の裏面であって、便座を倒伏させた時の前面部付近の最外縁部に沿って連続している。脚５としてはゴムのような弾力のある材料を用いるのがよい。該脚５の断面形状は、便座３を倒伏させた時に便器本体１に向かって開口しているように設けられた凹形状となっている。脚５の大きさとしては、便器本体１のリム６の床面と略水平方向の厚さによって凹形状の脚５の開口幅を決めればよい。また、ゴム等で形成されている脚５の材料厚さは便座３を勢いよく倒伏した場合、便器本体１のリム６に当たって便座に倒伏時の振動が伝わった時に、便座３にひびが入ったりして便座３が壊れないような十分な厚さであるとよい。リム６は便座３裏面の脚５と係合される。そのためリム６の厚さとしては比較的薄いものがよく、床面と略水平方向におけるリム６の幅が、床面と略水平方向における便座３の幅に対して半分以下である比較的薄い幅厚であるとよい。
【００１７】
図２は便座３を倒伏させた時の断面図である。脚５とリム６との係合は図２のように行われる。すなわち、便座３を倒伏させて便座３裏面の凹形状の脚５をリム６とが係合される。脚５は便座３裏面の前部に亘って連続して設けられているため、リム６の前面部が脚５と係合される。このことにより、便座３のずれが小さくなり、しかも、係合部が便器本体１前面部に連続して設けられていることにより、便座３と便器本体１との間の空間がなくなる事で、特に、男子が着座姿勢で小便をした時に便座３と便器本体１との空間から便器外部に流出するといった事態を防ぐことができる。
【００１８】
図３は他の実施形態を示した便器本体１上部における断面図である。便座３裏面の外縁側から便器本体１の内部にかけて便座３がえぐり取られたへこみ部７が設けられており、該へこみ部７内部に脚５が設けられてリム６と係合されるといったものである。脚５の形状としては、便座３を倒伏させた時に、リム６の便器本体１内面側に接するような床面と略垂直な方向と、リム６上面に接するようなリム６と略水平方向とに伸びている鉤型の形状を有しているとよい。脚５としてはゴムのような弾力のある材料を用いるのがよい。
【００１９】
本発明は、リム６内部に水を流して便器本体１内部を洗浄するものであってもよいし、リム６内部に水を流さずに、トルネード方式で便器本体１内部を洗浄するタイプのものであってもよい。リム６内部に水を流さずに、便器本体1内部を洗浄するタイプのものは、水が通る水通路が必要ないため、リム６をより薄く形成することができる。以上のように、本発明はおしり用洗浄器付きのトイレ等あらゆる洋風便器に使用することができるのである。
【図面の簡単な説明】
【００２０】
【図１】本発明の洋風便器の斜視図である。
【図２】本発明の洋風便器の前面部における断面図である。
【図３】本発明の他の実施形態を示した断面図である。
【図４】従来の洋風便器の断面図である。
【符号の説明】
【００２１】
１．便器
２．水洗タンク
３．便座
４．蓋
５．脚
６．リム
７．へこみ部
【図１】
2005273227.tif 000003
【図２】
2005273227.tif 000004
【図３】
2005273227.tif 000005
【図４】
2005273227.tif 000006